(57)【要約】【課題】後方目視を容易に行うことができる作業機械のシート構造を提供する。【解決手段】本発明に係る作業機械のシート構造は、オペレータが着座するためのシートクッション１２と、オペレータの背部を支持するためのシートバック１３と、支持機構１４とを備える。支持機構１４は、シートバック１３をシートクッション１２に対して横方向に移動可能に支持する。【選択図】図３
2008302795.tif 000002
【特許請求の範囲】
【請求項１】
オペレータが着座するためのシートクッションと、
オペレータの背部を支持するためのシートバックと、
前記シートバックを前記シートクッションに対して横方向に移動可能に支持する支持機構と、
を備える作業機械のシート構造。
【請求項２】
前記支持機構は、後方に凸に湾曲した軌跡に沿って前記シートバックを移動可能に支持する、
請求項１に記載の作業機械のシート構造。
【請求項３】
前記支持機構は、前記シートバックを所望の位置に固定する固定機構を有する、
請求項１または２に記載の作業機械のシート構造。
【請求項４】
オペレータが着座するためのシートクッションと、
オペレータの背部を支持するためのシートバックと、
前記シートバックを前後方向に延びる軸を中心に回転可能に支持する支持機構と、
を備える作業機械のシート構造。
【発明の詳細な説明】
【技術分野】
【０００１】
本発明は、作業機械のシート構造に関する。
【背景技術】
【０００２】
ブルドーザなどの作業機械では、後方を目視しながら操作が行われる場合がある。このため、シートクッションとシートバックとからなるシート部全体を回転可能に配置したシート構造が従来提供されている。このシート構造では、鉛直方向に延びる軸を中心にシート部を回転可能に支持する回転支持機構が設けられており、オペレータは、シート部全体を回転させて後ろ向きにすることによって、後方目視を行うことができる。
【特許文献１】特開昭５２−３７３２５号公報
【発明の開示】
【発明が解決しようとする課題】
【０００３】
しかし、上記のようなシート構造は、シートクッションとシートバックとの両方を一体的に回転させる構造であるため、比較的大きな操作力が必要となる。特に、着座状態ではオペレータは力を入れにくい態勢にあるため、シート全体を回転させることが困難であり、後方目視を行い難い。
【０００４】
本発明の課題は、後方目視を容易に行うことができる作業機械のシート構造を提供することにある。
【課題を解決するための手段】
【０００５】
第１発明に係る作業機械のシート構造は、オペレータが着座するためのシートクッションと、オペレータの背部を支持するためのシートバックと、支持機構とを備える。支持機構は、シートバックをシートクッションに対して横方向に移動可能に支持する。
【０００６】
この作業機械のシート構造では、オペレータがシートバックをシートクッションに対して横方向に移動させることにより、後方目視を行うことができる。また、この際、シート部全体を移動させるのではなく、シートバックのみを移動させるため、小さな操作力でシートバックを移動させることができる。このため、この作業機械のシート構造では、後方目視を容易に行うことができる。
【０００７】
第２発明に係る作業機械のシート構造は、第１発明の作業機械のシート構造であって、支持機構は、後方に凸に湾曲した軌跡に沿ってシートバックを移動可能に支持する。
【０００８】
この作業機械のシート構造では、シートバックは後方に凸に湾曲した軌跡に沿って移動する。このため、後方目視を行う際のシートバックの側方への突き出し距離を小さくすることができる。
【０００９】
第３発明に係る作業機械のシート構造は、第１発明または第２発明の作業機械のシート構造であって、支持機構は、シートバックを所望の位置に固定する固定機構を有する。
【００１０】
この作業機械のシート構造では、固定機構によってシートバックを所望の位置に固定することができる。このため、後方を目視した状態での作業機械の操作を容易にすることができる。
【００１１】
第４発明に係る作業機械のシート構造は、オペレータが着座するためのシートクッションと、オペレータの背部を支持するためのシートバックと、支持機構とを備える。支持機構は、シートバックを前後方向に延びる軸を中心に回転可能に支持する。
【００１２】
この作業機械のシート構造では、オペレータがシートバックを前後方向に延びる軸を中心に回転させることにより、シートバックの上部を横方向に移動させることができる。これにより、後方目視を行うことができる。また、この際、シート全体を移動させるのではなく、シートバックのみを移動させるため、小さな操作力でシートバックを移動させることができる。このため、この作業機械のシート構造では、後方目視を容易に行うことができる。
【発明の効果】
【００１３】
本発明に係る作業機械のシート構造では、小さな操作力でシートバックを移動させることができるため、後方目視を容易に行うことができる。
【発明を実施するための最良の形態】
【００１４】
＜構成＞
本発明の一実施形態に係るシート構造が採用された作業機械１００を図１に示す。この作業機械１００は、ブルドーザであり、履帯１０１を駆動することにより走行する走行装置１０２と、走行装置１０２上に載置された車両本体１０３とを備える。車両本体１０３の前部には、ブレード１０４を有する第１作業機１０５が設けられており、車両本体１０３の後部には、リッパー１０６を有する第２作業機１０７が設けられている。また、車両本体１０３には運転室１０８が載置されており、運転室１０８内には、図２に示すシート構造を有する操縦席３が設けられている。
【００１５】
この操縦席３は、載置台６と、可動コンソール台１１と、スライド機構９と、シート部４とを備える。
【００１６】
載置台６は、操縦席３の床面３３に固定されており、エアコンなどが内部に収納される箱形の部材である。載置台６には、可動コンソール台１１およびスライド機構９を介してシート部４が載置される。
【００１７】
可動コンソール台１１は、スライド機構９を介してシート部４が載置される部材である。可動コンソール台１１には、作業機械１００の走行や第１作業機１０５や第２作業機１０７の操作に必要な運転操作レバーなどの操作部が設けられるコンソール１９が載置されている。
【００１８】
スライド機構９は、シート部４の前後位置を調整可能とする機構である。スライド機構９は、シート部４の下方に設けられており、シート部４と可動コンソール台１１との間に設けられている。スライド機構９は、可動コンソール台１１対して固定的に設けられており、シート部４を前後方向に移動可能に支持している。オペレータは、第２操作部材１０を操作することにより、シート部４を前後方向に移動可能にする解放状態と、前後方向に沿った所望の位置にシート部４をロックするロック状態とにスライド機構９を切り換えることができる。
【００１９】
シート部４は、図３および図４に示すようにオペレータが着座するためのシートクッション１２と、オペレータの背部を支持するためのシートバック１３と、支持機構１４とを有している。なお、図３は、シート部４の上面図であり、図４は、シート部４の側面図である。
【００２０】
支持機構１４は、シートバック１３をシートクッション１２に対して横方向に移動可能に支持するための機構である。なお、ここでいう横方向とは、シート部４の正面視における左右方向を意味する。支持機構１４は、特に、スライド機構９がシート部４を前後方向に移動させる機構であるのに対して、横方向にシート部４を移動させるための機構である。支持機構１４は、レール部材１５と、ガイド部材１６ａ，１６ｂと、固定機構１７とを有する。
【００２１】
レール部材１５は、シートクッション１２の後方に配置されており、連結部材２０によってシートクッション１２のフレーム１８（図４参照）に連結されている。レール部材１５は、横方向に延びるパイプ状の部材であり、後方に凸に湾曲した円弧状の形状を有している。
【００２２】
ガイド部材１６ａ，１６ｂは、シートバック１３をレール部材１５に沿って移動させるための部材である。ガイド部材１６ａ，１６ｂは、図５に示すように、シートバック１３の下方に配置されており、連結部材２１，２２によって、シートバック１３のフレーム３０に連結されている。なお、図５は、シートバック１３およびガイド部材１６ａ，１６ｂの正面図である。このシート部４では、横方向に離れて一対のガイド部材１６ａ，１６ｂが設けられており、各ガイド部材１６ａ，１６ｂには、横方向に貫通する貫通孔２３，２４が形成されている。ガイド部材１６ａ，１６ｂは、レール部材１５がこの貫通孔２３，２４に挿通されることにより、レール部材１５に対して滑動可能に係止する。上述したように、レール部材１５は、後方に凸に湾曲した形状を有しているため、ガイド部材１６ａ，１６ｂがレール部材１５上を滑動することにより、シートバック１３は、後方に凸に湾曲した軌跡（図３の矢印Ａ１参照）に沿って移動する。
【００２３】
固定機構１７は、シートバック１３をレール部材１５に沿った所望の位置に固定するための機構である。固定機構１７は、図６に示すように、ロック部材２５と、付勢部材２６と、操作部材２７とを有する。ロック部材２５は、シートバック１３に連結された連結部材２２に回動可能に取り付けられている。ロック部材２５は、レール部材１５に軸方向に沿って設けられた複数の溝（図示せず）に係止することによってシートバック１３の移動を規制することができる。付勢部材２６は、例えばコイルスプリングであり、ロック部材２５をレール部材１５の溝に係止する方向に付勢する。操作部材２７は、ロック部材２５と連結されており、操作部材２７を操作することにロック部材２５が回動するように設けられている。
【００２４】
＜着席位置の調整＞
この作業機械１００のシート構造では、オペレータは、可動コンソール台１１およびシート部４を載置台６に対して移動させることにより、シート部４の前後方向の位置調整を行うことができる。
【００２５】
また、オペレータは、支持機構１４によって、シートバック１３をシートクッション１２に対して横方向に移動させることができる。この場合、図３に示すように、横方向に延び後方に凸に湾曲した円弧状の軌跡（矢印Ａ１参照）に沿ってシートバック１３が移動し、シートクッション１２周りにシートバック１３を回転移動させて位置調整することができる。
【００２６】
なお、この操縦席３では、図示しない調整レバーを操作することによって、シートクッション１２の高さやシートバック１３の前後方向への傾斜角度の位置調整も可能である。
【００２７】
＜特徴＞
この作業機械１００のシート構造では、例えばリッピング作業時のように、後方を目視しながら操作を行う必要がある場合に、シートバック１３をシートクッション１２に対して横方向に移動させることができる。このとき、シートクッション１２や可動コンソール台１１を移動させずにシートバック１３のみを移動させることができるため、軽い操作力でシートバック１３を移動させることができる。これにより、後方目視を容易に行うことができる。
【００２８】
＜他の実施形態＞
（ａ）
上記の実施形態では、支持機構１４はシートバック１３を横方向に移動可能に支持しているが、図７に示すように、シートバック１３を前後方向に延びる軸ＡＸを中心に回転可能に支持する支持機構２８が設けられてもよい。この支持機構２８では、シートバック１３の上部を正面視において左右に揺動させることができる（矢印Ａ２参照）。なお、図７は、シート部４の正面図である。
【００２９】
この場合も、シートクッション１２や可動コンソール台１１を移動させずにシートバック１３のみを移動させることができるため、軽い操作力でシートバック１３を移動させることができる。
【００３０】
（ｂ）
上記の実施形態では、支持機構１４はシートバック１３が後方に凸に湾曲した軌跡に沿って移動可能なようにシートバック１３を支持するが、図８に示すように、シートバック１３を横方向に延びる直線状の軌跡（矢印Ａ３参照）に沿って移動可能なようにシートバック１３を支持する移動機構２９が設けられてもよい。なお、図８は、シート部４の上面図である。
【００３１】
この場合も、シートクッション１２や可動コンソール台１１を移動させずにシートバック１３のみを移動させることができるため、軽い操作力でシートバック１３を移動させることができる。ただし、後方目視を行う際のシートバック１３の横方向への突き出し距離を小さくする観点においては、上記の実施形態の支持機構１４のような構造が望ましい。
【００３２】
（ｃ）
本発明における支持機構の構造は、上記のものに限られるものではなく、本発明の範囲を逸脱しない範囲で変更可能である。例えば、上記の実施形態では、レール部材１５は、シートバック１３の下方に配置されているが、シートバック１３の後方に配置されてもよい。また、この場合、ガイド部材１６ａ，１６ｂはシートバック１３の背面に設けられる。
【産業上の利用可能性】
【００３３】
本発明は、後方目視を容易に行うことができる効果を有し、作業機械のシート構造として有用である。
【図面の簡単な説明】
【００３４】
【図１】作業機械の外観斜視図。
【図２】操縦席の正面図。
【図３】シート部の上面図。
【図４】シート部の側面図。
【図５】シートバックの正面図。
【図６】固定構造を示す図。
【図７】他の実施形態に係る支持構造を示す図。
【図８】他の実施形態に係る支持構造を示す図。
【符号の説明】
【００３５】
１２              シートクッション
１３              シートバック
１４，２８，２９  支持機構
１７              固定機構
１００            作業機械
【図１】
2008302795.tif 000003
【図２】
2008302795.tif 000004
【図３】
2008302795.tif 000005
【図４】
2008302795.tif 000006
【図５】
2008302795.tif 000007
【図６】
2008302795.tif 000008
【図７】
2008302795.tif 000009
【図８】
2008302795.tif 000010